(57)【要約】【課題】ヘルメットを頭部および頚部支持部に接続するポスト取り付け器具を提供する。【解決手段】器具は、基部を有するポスト留め金、ボタン、弾性部材、ポスト、保持器、および大きい方の第一区間がチャネルによって小さい方の第二区間に接続されたスロットを有するキャッチを含む。ボタンは、基部の凹部に位置決めされ、弾性部材がその間に位置決めされる。ポストはボタン、基部およびヘルメットを通して延在する。保持器が、ヘルメットの内面に隣接してポストに固定される。ポスト取り付け器具を固定するには、キャッチをポスト上に配向する。次に、キャッチを後方に移動させて、ポストをスロットの第二区間に入れながら、ボタンを基部に押し込む。【選択図】図１
2006312807.tif 000002
【特許請求の範囲】
【請求項１】
頭部および頚部支持器具をヘルメットに接続する取り付け器具であって、
（ａ）自身の背面が前記ヘルメットに隣接する状態で前記ヘルメット上に位置決めするために、前面および背面を有する基部と、
（ｂ）前記基部の前記前面に隣接して位置決めされたボタンと、
（ｃ）前記ボタンに前記基部から離れる方向でバイアス付与するために、前記基部の前記前面と前記ボタンの間に位置決めされた弾性部材と、
（ｄ）対向する第一および第二端を有し、前記第一端に頭部があり、自身の前記頭部が前記ボタンと隣接するように、前記ボタン、前記基部および前記ヘルメットを通して装着されるポストとを有し、前記ポストの前記頭部が延長部を有し、さらに、
（ｅ）前記頭部および頚部支持器具と接続するために、開口に前記ポストの前記頭部を位置決めすることによって前記ポストに接続するための開口を有するキャッチを有し、前記ポストの前記頭部の前記延長部が前記キャッチに接触して、前記ポスト上の前記キャッチの回転度を制限するものである器具。
【請求項２】
前記基部の前記前面が凹部を有し、前記ボタンが前面および背面を有し、前記背面が前記基部に隣接する状態で前記凹部内に位置決めされ、前記ボタンを押下して、前記キャッチを取り付けると、前記ボタンの前記前面が、前記凹部に隣接する前記基部の前記前面と面一になる、請求項１に記載の器具。
【請求項３】
前記キャッチの前記開口が第一区間および第二区間を有し、前記第一区間の幅が前記第二区間の幅より大きく、前記ポストの関頭部の幅より大きくて、前記第二区間の幅が、前記ポストの前記頭部の前記幅より小さく、前記コネクタ区間の幅が前記ポストの前記頭部の前記幅より小さく、前記コネクタ区間の前記幅が前記キャッチの前記開口の前記第二区間の前記幅より小さく、したがって前記コネクタ区間が前記キャッチの前記開口の前記第二区間内に滑動することができ、前記キャッチが前記ポストの前記コネクタ区間上で回転可能である、請求項１に記載の器具。
【請求項４】
平行な側部を有するチャネルが、前記キャッチの前記開口の前記第一区間を前記キャッチの前記開口の前記第二区間に接続し、前記チャネルが、側部間にて第一区間の幅より小さく、第二区間の幅より小さい幅を有し、前記ポストの前記コネクタ区間が１対の対向して平行な平坦区間を有し、前記チャネルの前記幅が、前記平坦区間の前記コネクタ区間の幅より大きく、したがって前記コネクタ区間が、前記チャネルを通して前記開口の前記第一区間と第二区間の間で移動可能である、請求項３に記載の器具。
【請求項５】
窪みが前記開口の前記第二区間の周囲の一部に延在し、前記窪みのサイズが前記ポストの前記頭部のサイズより大きく、それによって前記頭部は、前記ポストが前記開口の前記第二区間内にあって、前記キャッチが前記ポストに接続されている場合に、前記窪み内に延在可能である、請求項３に記載の器具。
【請求項６】
前記止め具が前記開口に隣接する止め具を有し、前記キャッチが前記ポストの前記頭部に接続され、前記ポストの前記頭部が前記開口および前記キャッチの前面を超えて延在し、前記ポストの前記頭部の前記延長部が前記止め具と接触して、前記ポスト上の前記キャッチの前記回転度を制限する、請求項１に記載の器具。
【請求項７】
前記キャッチの前記開口が第一区間および第二区間を有し、前記第一区間の幅が前記第二区間の幅より大きく、前記キャッチが、前記開口の前記第二区間の周囲の少なくとも一部に延在し、前記キャッチの前面からの前記第一窪みの深さが、前記頭部の厚さより大きく、したがって前記ポストの前記頭部が前記開口部の前記第二区間内にある状態で、前記キャッチが前記ポストの前記頭部に接続された場合、前記ポストの前記頭部が前記キャッチの前記前面を越えて前記開口から外側に延在しない、請求項１に記載の器具。
【請求項８】
前記ポストの前記頭部が最上部分、中心部分および底部分を有し、前記頭部の前記底部分が前記ポストの前記第一端に隣接し、前記延長部が前記頭部の前記最上部分に配置され、前記第一窪みの形状およびサイズが、前記ポストの前記頭部の前記底部分の形状およびサイズと同様であり、したがって前記キャッチが前記ポストに接続された場合、前記ポストの前記頭部の前記底部分が、前記キャッチの前記開口の前記第二区間の前記第一窪み内に填る、請求項７に記載の器具。
【請求項９】
前記開口の前記第二区間に第一窪みおよび第二窪みを設け、第一窪みの深さが、前記キャッチの前面からの前記第二窪みの深さより大きく、前記キャッチが前記ポストに接続され、前記キャッチが前記ポスト上で回転すると、前記ポストの前記頭部上の前記延長部が前記第二窪み内に延在し、前記第二窪みに隣接する前記キャッチの側部と接触して、前記ポスト上の前記キャッチの回転を制限する、請求項１に記載の器具。
【請求項１０】
前記キャッチが前記ポストの周囲で１８０°未満回転可能である、請求項１に記載の器具。
【請求項１１】
前記キャッチが前記ポストの周囲で約１８０°回転可能である、請求項１に記載の器具。
【請求項１２】
前記キャッチの前記開口の前記第二区間に突起を設ける、請求項１に記載の器具。
【請求項１３】
前記突起は、前記キャッチが前記ポスト上で回転する場合に、前記頭部の前記延長部が前記突起の一つの中に延在して、ポスト上で前記キャッチの制限された回転を可能にするようなサイズであり、前記頭部の前記延長部が、前記突起の端部に隣接する前記キャッチと接触して、前記ポスト上の前記キャッチの回転を制限する、請求項１２に記載の器具。
【請求項１４】
前記ポストの前記頭部の前記延長部および前記キャッチは、前記キャッチを回転するために、予め決定された量より大きいトルクを加えた場合に、前記ポスト上で前記キャッチの制限された回転を可能にするように構成される、請求項１に記載の取り付け器具。
【請求項１５】
頭部および頚部支持器具をヘルメットに接続する取り付け器具であって、
（ａ）自身の背面が前記ヘルメットに隣接する状態で前記ヘルメット上に位置決めするために、前面および背面を有する基部を有し、前記前面が止め具を有し、さらに、
（ｂ）前記基部の前記前面に隣接して位置決めされたボタンと、
（ｃ）前記ボタンに前記基部から離れる方向でバイアス付与するために、前記基部の前記前面と前記ボタンの間に位置決めされた弾性部材と、
（ｄ）対向する第一および第二端を有し、前記第一端に頭部があり、自身の前記頭部が前記ボタンと隣接するように、前記ボタン、前記基部および前記ヘルメットを通して装着されるポストと、
（ｅ）前記頭部および頚部支持器具と接続するために、開口に前記ポストの前記頭部を位置決めすることによって前記ポストに接続するための開口を有するキャッチを有し、前記キャッチが前記ポストの前記頭部に接続されると、前記キャッチが前記基部上の前記止め具と接触して、前記ポスト上の前記キャッチの回転度を制限するものである器具。
【請求項１６】
前記基部の前記前面が凹部を有し、前記ボタンが前面および背面を有し、前記背面が前記基部と隣接する状態で前記凹部内に位置決めされ、前記ボタンを押下して前記キャッチを取り付けると、前記ボタンの前記前面が、前記凹部に隣接する前記基部の前記前面と面一になる、請求項１５に記載の器具。
【請求項１７】
前記キャッチの前記開口が第一区間および第二区間を有し、前記第一区間の幅が前記第二区間の幅より大きく、前記ポストの前記頭部の幅より大きくて、前記第二区間の幅が前記ポストの前記頭部の前記幅より小さく、前記ポストが前記頭部に隣接するコネクタ区間を有し、前記コネクタ区間の幅が前記ポストの前記頭部の前記幅より小さく、前記コネクタ区間の前記幅が前記キャッチの前記開口の前記第二区間の前記幅より小さく、したがって前記コネクタ区間が前記キャッチの前記開口の前記第二区間内に滑動可能であり、前記キャッチが前記ポストの前記コネクタ区間上で回転可能である、請求項１５に記載の器具。
【請求項１８】
平行な側部を有するチャネルが、前記キャッチの前記開口の前記第一区間を前記キャッチの前記開口の前記第二区間に接続し、前記チャネルが、前記側部間にて第一区間の幅より小さく、第二区間の幅より小さい幅を有し、前記ポストの前記コネクタ区間が、１対の対向する平行な平坦区間を有し、前記チャネルの幅が、前記平坦区間にて前記コネクタ区間の幅より大きく、したがって前記コネクタ区間が前記チャネルを通して前記開口の前記第一区間と第二区間の間で動作可能である、請求項１７に記載の器具。
【請求項１９】
窪みが前記開口の前記第二区間の周囲の一部に延在し、前記窪みのサイズが前記ポストの前記頭部のサイズより大きく、これによって前記ポストが前記開口の前記第二区間にあって、前記キャッチが前記ポストに接続されている場合に、前記頭部が前記窪み内に延在可能である、請求項１７に記載の器具。
【請求項２０】
前記キャッチが前記ポストの周囲で１８０°未満回転可能である、請求項１５に記載の器具。
【請求項２１】
頭部および頚部支持器具をヘルメットに取り付ける方法であって、
（ａ）自身の背面が前記ヘルメットに隣接する状態で、前記ヘルメットを位置決めするために前面および背面を有する基部と、前記基部の前記前面に隣接して位置決めされたボタンと、前記基部から離れる方向で前記ボタンにバイアスを付与するために、前記基部の前記前面と前記ボタンの間に位置決めされた弾性部材と、対向する第一および第二端を有し、前記第一端に頭部があり、自身の前記頭部が前記ボタンに隣接するように、前記ボタン、前記基部および前記ヘルメットを通して装着されるポストとを設けるステップを含み、前記ポストの前記頭部が延長部を有し、さらに、
（ｂ）第一区間および第二区間がある開口を有するキャッチを設けるステップを含み、前記第一区間が、前記第二区間の幅より大きい幅を有し、前記キャッチが前記頭部および頚部支持器具に接続され、さらに、
（ｃ）前記ポストの前記頭部が前記キャッチの前記開口の前記第一区間に隣接するように、前記キャッチを位置決めするステップと、
（ｄ）前記ボタンが前記ヘルメットに向かって動作し、前記ポストの前記頭部が前記ボタンから隔置されるように、前記ポスト取り付け具の前記ボタンを押下するステップと、
（ｅ）前記ポストが前記キャッチの前記第二区間に入るまで、前記キャッチを前記ヘルメットの後部に向かって滑動させるステップと、
（ｆ）前記キャッチの前記開口の前記第二区間の周囲にある前記キャッチの部分が、前記ボタンと前記ポストの前記頭部の間で隔置され、それと接触するように、前記弾性部材が前記ボタンを前記キャッチに向かって移動させるように、前記ボタンを解放するステップと、
（ｇ）前記ポストの前記頭部の前記延長部が前記キャッチと接触し、前記ポスト上での前記キャッチの回転度を制限するように、前記ポスト上で前記キャッチを回転させるステップとを含む方法。
【請求項２２】
前記ポストが、前記頭部に隣接するコネクタ区間を有し、前記コネクタが１対の対向する平行な平坦区間を有し、前記キャッチの前記開口の前記第一および第二区間が、対向する平行な側部を有するチャネルによって相互に接続され、ステップ（ｃ）にて、前記チャネルの前記側部が前記コネクタ区間の前記平坦区間と平行になるように、前記キャッチが位置決めされ、ステップ（ｄ）にて、前記ポストの前記コネクタ区間が前記ボタンの前記開口を越えて延在するまで、前記ボタンを押下する、請求項２１に記載の方法。
【請求項２３】
前記基部の前記前面が凹部を有し、前記ボタンが前面および背面を有し、前記背面が前記基部に隣接する状態で前記凹部内に位置決めされ、ステップ（ｄ）にて、前記ボタンの前記前面が前記基部の前記前面と面一になるまで、前記ボタンを前記凹部に押し込む、請求項２１に記載の方法。
【請求項２４】
ステップ（ｇ）にて、前記キャッチが前記ポストの周囲で約１８０°回転可能である、請求項２１に記載の方法。
【請求項２５】
ステップ（ｇ）にて、予め決定した量より大きいトルクを加えて、前記キャッチを回転させ、前記キャッチが前記ボタンを押下し、したがって前記ボタンが前記ヘルメットに向かって動作し、前記キャッチが前記ポスト上で無制限に回転可能である、請求項２１に記載の方法。
【発明の詳細な説明】
【技術分野】
【０００１】
（関連出願への相互参照）
本出願は、２００３年７月２５日出願の特許出願第１０／６２７，０６６号の部分継続である。
【０００２】
（連邦後援の研究または開発に関する申告）
該当なし。
【０００３】
本発明は、ヘルメットと頭部の間の係留具を固定するポスト取り付け器具および頚部支持器具に関する。特に、本発明はヘルメットに装着したポスト留め金、および頭部および頚部支持器具に接続されたキャッチを使用して、使用中にヘルメットを頭部および頚部支持器具に固定し、ポスト留め金上のキャッチの回転を制限するポスト取り付け器具に関する。
【背景技術】
【０００４】
関連技術は、頭部および頚部支持または抑制器具をヘルメットに接続する幾つかのシステムを示している。一（１）つのこのような知られているシステムは、ヘルメットに装着したＪ字クリップ、および係留具によって頭部および頚部支持器具に接続されたＤ字リングを含む。ヘルメット上のＪ字クリップは、ヘルメットに向かって偏向する研磨された平坦なばねを有する。Ｄ字リングをＪ字クリップに接続するために、Ｄ字リングの一（１）つの縁部をばね上に押下して、ばねを偏向させるか、ばねをヘルメットに向かって押下し、Ｊ字クリップへの開口を生成する。ばねを偏向する間、Ｄ字リングをヘルメットの後部に向かって移動する。Ｄ字リングがＪ字クリップに入ったら、ばねはロック位置に跳ね返り、Ｄ字リングをＪ字クリップ内に固定する。Ｄ字リングをＪ字クリップから外すには、ばねを押下し、ヘルメットに向かって偏向させながら、Ｄ字リングをヘルメットの後部に向かって引く。ばねを押し下げながら、Ｄ字リングを前方へと滑動させ、Ｊ字クリップから外す。Ｊ字クリップ・システムの一（１）つの欠点は、補助がなくては、運転者（使用者）がＪ字クリップを分離することが困難なことである。また、使用者がＤ字リングをＪ字クリップに取り付けることが困難である。通常は、Ｄ字リングをＪ字クリップに取り付けるのに成功する前に、使用者は数回試みる。また、Ｊ字クリップをヘルメットに装着するのは複雑であり、通常は製造業者によって実行される。
【０００５】
ヘルメットを頭部および頚部支持システムまたは抑制部に接続する他のシステムが、Ｓａｗｙｅｒに帰される米国特許第３，９２５，８２２号、ＲｏｂｅｒｔｓＩＩ世その他に帰される第６，３８１，７５８号、Ｂａｓｓｉｃｋその他に帰される第６，７２９，６４３号、およびＫｉｎｔｚｉその他に帰される第６，８１３，７８２号で示されている。
【０００６】
Ｓａｗｅｒは、ヘルメットに固定されたリング、およびリングに接続されたスナップ・フックを示している。スナップ・フックは、安全ハーネスの肩ストラップに接続された接続ストラップ上にある。
【０００７】
ＲｏｂｅｒｔｓＩＩ世その他は、ヘルメットおよびエネルギを散逸させて延長可能な１対の拘束引き綱を含む頭部拘束システムについて説明している。引き綱は、コネクタによってヘルメットに接続される。一（１）つの実施形態では、ヘルメットは鋼ケーブル・ループを有し、引き綱は、ケーブル・ループに接続するカラビナ・クリップのような金属クリップを有する。別の実施形態では、引き綱は、ヘルメットの側部に配置されたループ内で受けるフックを有する。動作ケーブルがフックに接続され、それによってハーネス・システムを迅速に解放することができる。
【０００８】
Ｂａｓｓｉｃｋその他は、ヘルメットを被る運転者のために、係留具によってヘルメットに固定された柔軟なカラーを有する頚部支持および頭部拘束器具について説明している。係留具は、バックルによってヘルメットの反対側に着脱式に接続される。
【０００９】
Ｋｉｎｔｚｉその他は、レーシング・スーツに固定状態で取り付けられ、オペレータのヘルメットに着脱式に接続された多点ストラップ・アセンブリについて説明している。コネクタ手段はバックルを含み、ストラップをヘルメットに開放可能な状態で取り付け可能にする。
【００１０】
関連技術は、ポスト、およびポストを収容する開口を有して、自身とポストを接続するキャッチまたはコネクタを有する様々なタイプの締結具も示している。例示的なのは、Ｅｎｇｌａｎｄに帰される米国特許第９８８，５５８号、Ｓｈｏｍｂｅｒに帰される第２，６４０，２４６号、Ｉｓｈｉｚａｋａに帰される第３，５８３，０４２号、Ｔａｋａｄａに帰される第３，８８５，８１１号、およびＰｕｃｋｅｔｔに帰される第３，９２８，８９６号である。
【００１１】
Ｅｎｇｌａｎｄは、頭部および鳩目板があるポストを有する締結具について示している。鳩目板は２つののぞき穴を有し、のぞき穴の一方のみが、ポストの頭部が通過できるほど十分に大きい。２つののぞき穴を接合する首部は、２つののぞき穴より狭い。輪状のキーパをポストの胴部分の周囲に設ける。輪状キーパは、ポストの遠い方の端部に締結したカップ内に支持されたばねによって、ポストの頭部に向かってバイアス付与される。器具を使用するには、ポストの頭部が大きい方ののぞき穴の中になるように、鳩目板を位置決めする。次に、鳩目板を引いて、ポストを第二の小さい方ののぞき穴へと移動させる。鳩目板が移動するにつれ、鳩目板上の楔が頭部に隣接するポストと接触し、鳩目板に内側へと力を加え、輪状キーパを押す。首部がポストを過ぎるほど十分に鳩目部片（板）を引いたら、ポストが小さい方ののぞき穴に入り、ばねが輪状キーパを外側へと移動させ、ポストの頭部に向かって鳩目部片に力を加える。ばねおよび輪状キーパは、鳩目部片をポスト上の所定の位置にロックする。
【００１２】
Ｓｈｏｍｂｅｒは、キー溝スロット付きソケット部材および吊りスタッド部材を有する締結器具について説明している。スタッド部材は、支持構造に取り付ける前に予め組み立てられる円錐コイルばねおよびワッシャ部材を含む。
【００１３】
Ｉｓｈｉｚａｋａは、ストラップをカメラに締結する締結具について説明している。締結具は、装着軸と、２つの湾曲部分によって示される開口を有する接続部材とを含む。装着軸は、軸の周囲に装着された保持器部材を有する。保持器部材は、軸の頭部に向かってばねによってバイアス付与される。接続部材を装着軸に接続するには、軸の頭部が開口の湾曲部分の１つと位置合わせされるように、接続部材を位置決めする。接続部材を保持器部材に押し当て、軸が接続部材の開口の他方の湾曲部分に入るように、接続部材を移動する。軸が開口の他方の湾曲部分に入ると、保持器部材は元の非圧縮位置へと戻る。接続部材を軸から解放するには、保持器部材を押下して、ばねに当て、軸が開口の第一の湾曲部分に入るように、接続部材を変位させる。
【００１４】
Ｔａｋａｄａは、第一および第二結合区間を有する車両用安全ベルトについて説明している。第一結合区間は、前部円形開口および後部円形開口を有し、平行な側縁を有するスロットの形態の通路が、その間に延在する。第二結合区間は結合ピンを有する。一（１）つの実施形態では、結合ピンの案内区間は、平行な側縁がある細長い横断面である。
【００１５】
Ｐｕｃｋｅｔｔは、心棒および円盤のような拡大部を含むオス部分、および自身から延在する狭いスロットがある拡大開口がある板を含むメス部分を有する締結具について説明している。オス部分は、織物の反対側に位置決めされたグロメットによって織物の部片に固定される。
【発明の開示】
【発明が解決しようとする課題】
【００１６】
頭部および頚部支持器具をヘルメットに接続するために、使用者によって容易に接続および分離することができ、ヘルメットに容易に装着され、頑丈かつ強力であり、制限された回転を有する取り付け器具に対する要求がある。
【課題を解決するための手段】
【００１７】
競走用自動車の運転者が着用するヘルメットを、運転者が着用する頭部および頚部支持器具に接続するポスト取り付け器具。ヘルメットは、１対のポスト取り付け器具によって頭部および頚部支持器具に接続される。各ポスト取り付け器具は、ヘルメットに装着されたポスト留め金、およびキャッチを含む。ポスト取り付け器具は、ヘルメットの各側と、運転者の各肩に隣接する頭部および頚部支持器具の側部の間に延在する係留具に接続する。ポスト留め金は、基部、ボタン、弾性部材、ポストおよび保持器を含む。基部は、ヘルメットの穴と位置合わせされた中心開口を有する。基部の前面は、ボタンが配置される凹部を有する。弾性部材は、ボタンの後側と凹部の床との間に配置される。弾性部材は、凹部の床およびヘルメットから離れる方向でボタンにバイアス付与するように作用する。ボタンは、基部の中心開口およびヘルメットの開口と位置合わせされる開口を有する。ポストは、ボタンの開口、弾性部材、基部の中心開口、およびヘルメットの穴を通して挿入される。ポストは、一方端にボタンの開口より大きい頭部を有し、したがってポストはボタンを通って延在することができない。ポストは、ポストの頭部に隣接するコネクタ区間を有する。コネクタ区間は、頭部よりサイズが小さく、ボタンの開口を通って填ることができる。しかし、コネクタ区間のサイズは基部の中心開口より大きく、したがってコネクタ区間は、基部の中心開口を通って延在することができない。コネクタ区間は、１対の対向する平行な平坦区間を有する。ポストの頭部は、一（１）つの実施形態では、１対の対向する平行な平坦区間を有し、これは接続区間の平坦区間に対応し、それと平行である。頭部は、コネクタ区間の平坦区間と平行に延在する線も有してよく、これはコネクタ区間の方向を識別するために使用することができる。保持器は、ポストの第二端にヘルメットの内面に隣接して固定される。留め金ポストをヘルメットに十分に固定すると、コネクタ区間は、基部の中心開口に隣接する基部に接触し、したがって基部およびヘルメットは、ポストのコネクタ区間と、ポストの第二端に固定された保持器の間に挟まれる。
【００１８】
キャッチは係留具の一方端に接続され、これは他方側が頭部および頚部支持器具に接続される。キャッチは、キャッチの端部と端部の間に延在する開口またはスロットを有する。スロットは、キャッチの一方端に隣接する大きい方の第一区間を有し、キャッチはチャネルによってキャッチの他方端に隣接する小さい方の第二区間に接続される。
【００１９】
キャッチをポスト留め金に接続するには、ポストの頭部がスロットの第一区間内になるように、キャッチをポスト上に位置決めする。次に、チャネルの側部がポストのコネクタ区間の平坦区間と平行になるように、キャッチを配向する。一（１）つの実施形態では、コネクタ区間の平坦区間が基本的に地面と平行であるか、基本的に水平であるように、ポストを配向する。使用者は、頭部の平坦区間または頭部の線を使用して、コネクタ区間の平坦区間の方向を判断することができる。キャッチが適正に配向されると、使用者は、キャッチをヘルメットの後部に向かって後方に移動させながら、キャッチをヘルメットに向かって内側に押す。使用者がキャッチを内側に押し込むにつれ、キャッチがボタンを内側に押し、これはボタンを基部の凹部に押し込む。ポストのコネクタ区間がボタンを越えて延在し、ボタンの前側とポストの頭部の背面との間隔が、チャネルに隣接するキャッチの厚さより大きくなるまで、ボタンを内側に押す。使用者は、キャッチをヘルメットの後部に向かって移動させながら、キャッチを内側に押す。キャッチが移動するにつれ、ポストがスロットの第一区間からチャネルを通ってスロットの第二区間へと移動する。チャネルの幅およびポストのコネクタ区間の形状のせいで、コネクタ区間の平坦区間がチャネルの側部に平行な場合、ポストはチャネルを通って移動するだけである。ポストが第二区間に入ったら、キャッチに加わる内側への圧力が除去され、弾性部材がボタンをキャッチの背面に向かって外側に移動させる。ポスト取り付け器具を十分に取り付けると、スロットの第二区間の周囲のキャッチが、ボタンの前側とポストの頭部の背面との間に挟まれ、その間に保持される。キャッチには、第二区間の周囲に窪みを設けることができ、これによってポストの頭部をスロットの第二区間のキャッチにしっかり配置することができる。ポストのコネクタ区間のサイズおよび形状、およびスロットの第二区間のサイズおよび形状によって、キャッチをポスト上で回転、または割り出し可能にすることができる。
【００２０】
幾つかの実施形態では、ポストの周囲のキャッチの回転度は、係留具の捩りを減少させ、ポスト留め金からキャッチへと分離を容易にできるように制限される。一（１）つの実施形態では、キャッチは、通常の状態で回転が制限されているだけであるが、キャッチは、通常より高いトルクまたは過度の負荷がキャッチまたは係留具にかかった場合、予め設定した限界回転度を超えて回転する。一（１）つの実施形態では、ポストの頭部は、キャッチがポスト上で回転する場合にキャッチと接触する延長部またはノーズを一方端に有する。別の実施形態では、キャッチは、ポストの頭部の延長部と接触して、ポスト上のキャッチの全回転を防止する止め具を有する。さらに別の実施形態では、基部に止め具を設け、キャッチは、キャッチがポスト上で回転する場合に、止め具と接触し、キャッチが予め設定した位置を越えて回転するのを防止する。
【００２１】
本発明の本質および利点は、以下の図面および説明を参照することにより、ますます明白になる。
【発明を実施するための最良の形態】
【００２２】
本発明のポスト取り付け器具１０、２１０および５１０は、使用者１５０または運転者が着用するヘルメット１００を、使用者１５０が着用する頭部および頚部支持器具１１０に接続する迅速かつ確実な方法を可能にする（図１）。取り付け器具１０、２１０および５１０は、ヘルメット１００に装着したポスト留め金１２、２１２および５１２、および頭部および頚部支持器具１１０に接続された係留具１１２に固定するキャッチ２６、２２６、３２６、４２６および５２６を含む（図３、図１０、図１９および図２１）。
【００２３】
ポスト留め金１２、２１２および５１２は、基部１４、２１４および５１４、ボタン１６、２１６および５１６、弾性部材１８および２１８、ポスト２０、２２０、３２０および４２０、および保持器２２および２２２を含む（図２および図６）。基部１４、２１４および５１４は、前面１４Ａ、２１４Ａおよび５１４Ａ、および背面１４Ｂおよび２１４Ｂを有し、中心開口１４Ｃおよび２１４Ｃがその間に延在する。一（１）つの実施形態では、基部１４、２１４および５１４の中心開口１４Ｃおよび２１４Ｃの直径は基本的に、ヘルメット１００の穴の直径と等しい。基部１４、２１４および５１４の背面１４Ｂおよび２１４Ｂは湾曲して、滑らかであり、ヘルメット１００の外面１００Ａの湾曲と一致し、したがって基部１４、２１４および５１４の背面１４Ｂおよび２１４Ｂは、ヘルメット１００の外面１００Ａまたは外皮に対して面一で装着することができる。一（１）つの実施形態では、基部１４、２１４および５１４の背面１４Ｂおよび２１４Ｂは凹状湾曲を有する。基部１４、２１４および５１４の前面１４Ａ、２１４Ａおよび５１４Ａは、窪みまたは凹部１４Ｄ、２１４Ｄおよび５１４Ｄを有する。一（１）つの実施形態では、窪み１４Ｄ、２１４Ｄおよび５１４Ｄは、基部１４、２１４および５１４の中心開口１４Ｃおよび２１４Ｃの周囲に対称に位置決めされる。溝１４Ｅおよび２１４Ｅが窪み１４Ｄ、２１４Ｄおよび５１４Ｄの周囲に設けられ、したがって窪み１４Ｄ、２１４Ｄおよび５１４Ｄは隆起した中央部分を有する。
【００２４】
第五の実施形態では、基部５１４に、窪み５１４Ｄに隣接する止め具５１４Ｆを設ける。止め具５１４Ｆは、窪み５１４Ｄの周囲で約１８０°隔置される。しかし、１つまたは複数の止め具５１４Ｆの位置は、ポスト上のキャッチ５２６の回転量を調節するために変更できることが理解される。
【００２５】
一（１）つの実施形態の基部１４、２１４および５１４は円錐台形の形状を有する。基部１４、２１４および５１４の斜辺は、基部１４、２１４および５１４への損傷、および使用者への危害を軽減するのに役立つ。
【００２６】
ボタン１６、２１６および５１６は、基部１４、２１４および５１４の窪み１４Ｄ、２１４Ｄおよび５１４Ｄ内に装着され、窪み１４Ｄ、２１４Ｄおよび５１４Ｄの形状と同様の形状を有する。一（１）つの実施形態では、窪み１４Ｄ、２１４Ｄおよび５１４Ｄは円形であり、ボタン１６、２１６および５１６は円形の断面を有する。ボタン１６、２１６および５１６は、ボタン１６、２１６および５１６が基部１４、２１４および５１４の窪み１４Ｄ、２１４Ｄおよび５１４Ｄに位置決めされた場合に、基部１４、２１４および５１４の中心開口１４Ｃおよび２１４Ｃと位置合わせされる。基部１４、２１４および５１４の中心開口１４Ｃおよび２１４Ｃは、ボタン１６、２１６および５１６の中心開口１６Ｃおよび２１６Ｃより直径が小さい。ボタン１６、２１６および５１６は、前側１６Ａ、２１６Ａおよび５１６Ａ、および後側１６Ｂおよび２１６Ｂを有し、周囲の側壁１６Ｄおよび２１６Ｄが、後側１６Ｂおよび２１６Ｂから前側１６Ａ、２１６Ａおよび５１６Ａとは反対の方向へと外側に延在する。
【００２７】
図１０で示すような一（１）つの実施形態では、ボタン２１６の側壁２１６Ｄは、ボタン２１６の直径が、ポスト２２０の頭部２２１に隣接する側壁２１６Ｄの頂部で、基部２１４に隣接する側壁２１６Ｄの底部におけるボタン２１６の直径より小さくなるように傾斜をつける。
【００２８】
ボタン１６、２１６および５１６を窪み１４Ｄ、２１４Ｄおよび５１４Ｄ内に位置決めすると、ボタン１６、２１６および５１６の側壁１６Ｄおよび２１６Ｄが、窪み１４Ｄおよび２１４Ｄの周囲の溝１４Ｅおよび２１４Ｅの中に延在する（図６から図９および図１４および図１５）。一（１）つの実施形態では、側壁１６Ｄおよび２１６Ｄの高さは、基部１４、２１４の前面１４Ａ、２１４Ａおよび５１４Ａから溝１４Ｅおよび２１４Ｅの床までの窪み１４Ｄ、２１４Ｄおよび５１４Ｄの溝１４Ｅおよび２１４Ｅの深さと等しいか、それより小さく、前側と後側の間のボタン１６、２１６および５１６の厚さは、窪み１４Ｄ、２１４Ｄおよび５１４Ｄの深さと等しいか、それより小さく、したがってボタン１６、２１６および５１６は、ボタン１６、２１６および５１６の前側１６Ａ、２１６Ａおよび５１６Ａが基部１４、２１４および５１４の前面１４Ａ、２１４Ａおよび５１４Ａと面一になるまで、内側に押下するか、押し込む。
【００２９】
弾性部材１８および２１８が、基部１４、２１４および５１４の窪み１４Ｄ、２１４Ｄおよび５１４Ｄ内に装着され、窪み１４Ｄ、２１４Ｄおよび５１４Ｄとボタン１６、２１６および５１６の後側１６Ｂおよび２１６の間に延在する。ボタン１６および２１６を内側に押下するか、押し込むと、弾性部材１８および２１８が圧縮される。弾性部材１８および２１８は、ボタン１６、２１６および５１６が窪み１４Ｄ、２１４Ｄおよび５１４Ｄからずれ、基部１４、２１４および５１４から離れるようにバイアス付与する働きをする。一（１）つの実施形態では、弾性部材１８および２１８はコイルばねであり、コイルばねの中心開口が基部１４、２１４および５１４の中心開口１４Ｃおよび２１４Ｃ、およびボタン１６、２１６および５１６の開口１６Ｃおよび２１６Ｃと位置合わせされるように位置決めされる。弾性部材１８および２１８は、ボタン１６、２１６および５１６が基部１４、２１４および５１４から離れるようにバイアス付与する任意のよく知られた手段でよいことが理解される。
【００３０】
ポスト２０、２２０、３２０および４２０は、第一端２０Ａ、２２０Ａ、３２０Ａおよび４２０Ａおよび第二端２０Ｂ、２２０Ｂ、３２０Ｂおよび４２０Ｂを有し、頭部２１、２２１、３２１、４２１および５２１が第一端２０Ａ、２２０Ａ、３２０Ａおよび４２０Ａにある。ポスト２０、２２０、３２０および４２０は、頭部２１、２２１、３２１、４４２１および５２１に隣接するコネクタ区間２０Ｄおよび４２０Ｄを有する。第一および第五の実施形態では、ポスト２０の頭部２１は基本的に円形の形状を有する（図３および図２１）。第二、第三および第四の実施形態では、ポスト２２０、３２０および４２０の頭部２２１、３２１および４２１は、ノーズまたは尾２２１Ｂ、３２１Ｂおよび４２１Ｂとしても知られる延長部を有する。第二、第三および第四の実施形態の一（１）つの実施形態では、頭部２２１、３２１および４２１は最上部分、中心部分および底部分を有する。底部分は円形の形状を有し、ポスト２２０、３２０および４２０のコネクタ区間２０Ｄおよび４２０Ｄに接続される。中心部分は、コネクタ区間２０Ｄおよび４２０Ｄの反対側で底部分の最上部に位置決めされる。一（１）つの実施形態では、中心部分は、頭部２２１、３２１および４２１の平坦部２２１Ａ、３２１Ａおよび４２１Ａを形成するのに役立つ平行で隔置された平坦区間を除き、基本的に円形の形状を有する。他の実施形態と同様に、平坦部分２２１Ａ、３２１Ａおよび４２１Ａは、ポスト２２０、３２０および４２０のコネクタ区間２２０Ｄおよび４２０Ｄの対向する平行な平坦区間の対に平行である。最上部分は、底部分の反対側で中心部分の最上部に装着される。最上部分は第一端および第二端を有し、平坦側部区間がその間に延在する。平坦側部区間は、中心区間の平坦区間と一致し、頭部２２１、３２１および４２１の平坦部２２１Ａ、３２１Ａおよび４２１Ａを形成する。一（１）つの実施形態では、中心区間の反対側にある最上区間の最上面に、頭部２２１、３２１および４２１の平坦区間２２１Ａ、３２１Ａおよび４２１Ａに平行に延在する位置合わせ線２２１Ｃ、３２１Ｃおよび４２１Ｃを設ける。最上区間の第一端は延長部２２１Ｂ、３２１Ｂおよび４２１Ｂを有し、これは中心および底部分を越えて外側に延在する。一（１）つの実施形態では、第一端が、丸まった頂点の形状で最上部分の平坦側部から外側に傾斜し、延長部２２１Ｂ、３２１Ｂおよび４２１Ｂを形成する。一（１）つの実施形態では、最上部分の第二端を丸めるか、湾曲させ、これは円形の底部分の形状と一致する。
【００３１】
ポスト２０、２２０、３２０および４２０のコネクタ区間２０Ｄ、２２０Ｄ、３２０Ｄおよび４２０Ｄは、１対の対向する平行な平坦区間または平坦部２０Ｅを有する。コネクタ区間２０Ｄ、２２０Ｄ、３２０Ｄおよび４２０Ｄの最小幅は、平坦区間２０Ｅの間にある。一（１）つの実施形態では、コネクタ区間２０Ｄ、２２０Ｄ、３２０Ｄおよび４２０Ｄは概ね円筒形の形状を有し、平坦区間２０Ｅの間で湾曲区間が隔置されている。この実施形態では、平坦区間２０Ｅの間のコネクタ区間２０Ｄおよび２２０Ｄの幅は、湾曲区間の間のコネクタ区間２０Ｄ、２２０Ｄ、３２０Ｄおよび４２０Ｄの幅または直径より小さい。一（１）つの実施形態では、ポスト２０、２２０、３２０および４２０の頭部２１、２２１、３２１、４２１および５２１は、１対の対向する平行な平坦区間または平坦部２１Ａ、２２１Ａ、３２１Ａ、４２１Ａおよび５２１Ａを有し、これはコネクタ区間２０Ｄ、２２０Ｄ、３２０Ｄおよび４２０Ｄの１対の対向する平行な平坦区間２０Ｅと平行である。一（１）つの実施形態では、ポスト２０、２２０、３２０および４２０の頭部２１、２２１、３２１、４２１および５２１は、頭部２１、２２１、３２１、４２１および５２１の平坦区間２１Ａ、２２１Ａ、３２１Ａ、４２１Ａおよび５２１Ａとコネクタ区間２０Ｄ、２２０Ｄ、３２０Ｄおよび４２０Ｄの平坦区間２０Ｅとの間に延在して、それと平行である線２１Ｃ、２２１Ｃ、３２１Ｃ、４２１Ｃおよび５２１Ｃを有する。一（１）つの実施形態では、線２１Ｃ、２２１Ｃ、３２１Ｃ、４２１Ｃおよび５２１Ｃは、ねじ回し用スロットとして作用する切り欠きである。
【００３２】
ポスト２０、２２０、３２０および４２０は、ボタン１６、２１６および５１６および基部１４、２１４および５１４の開口１６Ｃおよび２１６Ｃ、およびヘルメット１００の穴を通って延在するようなサイズおよび長さである。一（１）つの実施形態では、ポスト２０、２２０、３２０および４２０は、コネクタ区間２０Ｄ、２２０Ｄ、３２０Ｄおよび４２０Ｄと第二端２０Ｂ、２２０Ｂ、３２０Ｂおよび４２０Ｂの間にねじ山が延在する円筒形の形状を有するボルトである。ポスト２０、２２０、３２０および４２０の直径は、ヘルメット１００の穴、基部１４、２１４および５１４の中心開口１４Ｃおよび２１４Ｃ、およびボタン１６、２１６および５１６の開口１６Ｃおよび２１６Ｃの直径より小さい。ポスト２０、２２０、３２０および４２０の頭部２１、２２１、３２１、４２１および５２１の直径またはサイズは、ボタン１６、２１６および５１６の開口１６Ｃおよび２１６Ｃの直径またはサイズより大きく、したがってポスト２０、２２０、３２０および４２０は、ボタン１６、２１６および５１６を通って完全には延在できない。ポスト２０、２０、３２０および４２０のコネクタ区間２０Ｄ、２２０Ｄ、３２０Ｄおよび４２０Ｄは、基部１４、２１４および５１４の中心開口１４Ｃおよび２１４Ｃのサイズまたは直径より大きく、ボタン１６、２１６および５１６の開口１６Ｃおよび２１６Ｃのサイズまたは直径より小さいサイズまたは直径を有し、したがってコネクタ区間２０Ｄ、２２０Ｄ、３２０Ｄおよび４２０Ｄは、ボタン１６、２１６および５１６を通って延在し、基部１４、２１４および５１４の中心開口１４Ｃおよび２１４Ｃの周囲で基部１４、２１４および５１４の前面１４Ａ、２１４Ａおよび５１４Ａと接触する。
【００３３】
保持器２２および２２２は、ヘルメット１００の穴を通ってヘルメット１００の内部へと延在するポスト２０および２２０の第二端２０Ｂおよび２２０Ｂに固定される。保持器２２および２２２は前面２２Ａおよび２２２Ａおよび背面２０Ｂおよび２２２Ｂを有し、中心開口２２Ｃおよび２２２Ｃがその間に延在する。保持器２２および２２２の前面２２Ａおよび２２２Ａは湾曲し、滑らかで、ヘルメット１００の内面１００Ｂの湾曲と一致し、したがって保持器２２および２２２がポスト２０および２２０の第二端２０Ｂおよび２２０Ｂにしっかり固定されると、保持器２２および２２２の前面２２Ａおよび２２２Ａは、ヘルメット１００の内面１００Ｂに対して面一になる。ポスト２０、２２０にねじを切った一（１）つの実施形態では、保持器２２および２２２の開口２２Ｃおよび２２２Ｃにねじを切って、ポスト２０および２２０のねじ山と係合させる。この実施形態では、保持器２２および２２２の開口２２Ｃおよび２２２Ｃの周囲に延長部２４および２２４を設ける。延長部２４および２２４は、保持器２２および２２２の中心開口２２Ｃおよび２２２Ｃと位置合わせされた中心内腔２４Ａおよび２２４Ａを有する。延長部２４および２２４の中心内腔２４Ａおよび２２４Ａにはねじを切り、これはポスト２０および２２０のねじ山と追加的に接触する。一（１）つの実施形態では、基部１４および２１４の背面１４Ｂおよび２１４ｂの外側または周囲のサイズおよび形状は、保持器２２および２２２の前面２２Ａおよび２２２Ａの外側または周囲のサイズおよび形状と同様である。一（１）つの実施形態では、基部１４および２１４は、円形形状の背面１４Ｂおよび２１４Ｂを有し、保持器２２および２２２は、円形形状の前面２２Ａおよび２２２Ａを有する。一（１）つの実施形態では、基部１４および２１４と保持器２２および２２２は両方とも、約１．００インチ（２５．４ｍｍ）から１．５インチ（３８．１ｍｍ）の範囲の外径を有する。
【００３４】
キャッチ２６、２２６、３２６、４２６および５２６は、第一端２６Ａ、２２６Ａ、３２６Ａ、４２６Ａおよび５２６Ａおよび第二端２６Ｂ、２２６Ｂ、３２６Ｂ、４２６Ｂおよび５２６Ｂを有し、スロットまたは開口２６Ｃ、２２６Ｃ、３２６Ｃ、４２６Ｃおよび５２６Ｃがその間に延在する。キャッチ２６、２２６、３２６、４２６および５２６は、第一端２６Ａ、２２６Ａ、３２６Ａ、４２６Ａおよび５２６Ａにて頭部および頚部支持器具１１０に接続される。一（１）つの実施形態では、キャッチ２６、２２６、３２６、４２６および５２６は、係留具１１２によって頭部および頚部支持器具１１０に接続される。一（１）つの実施形態では、頭部および頚部支持器具１１０は、約６インチ（１５３ｍｍ）の長さを有する係留具１１２で組み立てられる。この実施形態では、係留具の長さは、個人の好みに従って±３／４インチ（１９ｍｍ）調節することができる。係留具の長さは、実際に必要な頭部およびヘルメット１００の動作を可能にするほど十分に長くなければならないが、それを超えてはならない。異なる用途には、異なる係留具の長さが望ましいこともある。しかし、キャッチ２６、２２６、３２６、４２６および５２６を頭部および頚部支持器具１１０に接続する任意のよく知られた可撓性手段を使用できることが理解される。キャッチ２６、２２６、３２６、４２６および５２６のスロット２６Ｃ、２２６Ｃ、３２６Ｃ、４２６Ｃおよび５２６Ｃは、第一端２６Ａ、２２６Ａ、３２６Ａ、４２６Ａおよび５２６Ａに隣接する第一区間２６Ｄ、２２６Ｄ、３２６Ｄ、４２６Ｄおよび５２６Ｄ、および第二端２６Ｂ、２２６Ｂ、３２６Ｂ、４２６Ｂおよび５２６Ｂに隣接する第二区間２６Ｂ、２２６Ｂ、３２６Ｂ、４２６Ｂおよび５２６Ｂを有する。スロット２６Ｃ、２２６Ｃ、３２６Ｃ、４２６および５２６Ｃの第一および第二区間２６Ｄ、２２６Ｄ、３２６Ｄ、４２６Ｄおよび５２６、および２６Ｅ、２２６Ｅ、３２６Ｅ、４２６Ｅおよび５２６Ｅは、チャネル２６Ｆ、２２６Ｆ、３２６Ｆ、４２６Ｆおよび５２６Ｆによって接続される。側部の間にあるスロット２６Ｃ、２２６Ｃ、３２６Ｃ、４２６Ｃおよび５２６Ｄの第一区間２６Ｄ、２２６Ｄ、３２６Ｄ、４２６Ｄおよび５２６Ｄの幅は、ポスト２０、２２０、３２０および４２０の頭部２０Ｃ、２２０Ｃ、３２０Ｃ、４２０Ｃおよび５２０Ｃの直径または幅より大きい。一（１）つの実施形態では、第一区間２６Ｄ、２２６Ｄ、３２６Ｄ、４２６Ｄおよび５２６Ｄは楕円の形状を有する。一（１）つの実施形態では、キャッチ２２６の第一区間２２６Ｄは、基本的に長方形の形状を有する。しかし、ポスト２０、２２０、３２０および４２０の頭部２１、２２１、３２１、４２１および５２１が、スロット２６Ｃ、２２６Ｃ、３２６Ｃ、４２６Ｃおよび５２６Ｃの第一区間２６Ｄ、２２６Ｄ、３２６Ｄ、４２６Ｄおよび５２６Ｄを通って延在できれば、キャッチ２６、２２６、３２６、４２６および５２６のスロット２６Ｃ、２２６Ｃ、３２６Ｃ、４２６Ｃおよび５２６Ｃの第一区間２６Ｄ、２２６Ｄ、３２６Ｄ、４２６Ｄおよび５２６Ｄは、多様な形状を有してよいことが理解される。第二、第三および第四の実施形態では、端部の間にあるスロッ���２２６Ｃ、３２６Ｃおよび４２６Ｃの第一区間２２６Ｄ、３２６Ｄおよび４２６Ｄの長さは、延長部２２１Ｂ、３２１Ｂおよび４２１Ｂを含めて端部の間にあるポスト２２０、３２０および４２０の頭部２２１、３２１および４２１の長さまたはサイズより大きい。一（１）つの実施形態では、キャッチ２６の前面でスロット２６Ｃの第一区間２６Ｄの周囲は面取りされる。
【００３５】
スロット２６Ｃ、２２６Ｃ、３２６Ｃ、４２６Ｃおよび５２６Ｃの第二区間２６Ｅ、２２６Ｅ、３２６Ｅ、４２６Ｅおよび５２６Ｅは、基本的に円形の形状を有し、チャネル２６Ｆ、２２６Ｆ、３２６Ｆ、４２６Ｆおよび５２６Ｆにギャップまたは開口がある。第二区間２６Ｅ、２２６Ｅ、３２６Ｅおよび４２６Ｅの円形区間の直径は、ポスト２０、２２０、３２０および４２０のコネクタ区間２０Ｄ、２２０Ｄ、３２０Ｄおよび４２０Ｄの直径または幅よりわずかに大きく、したがってキャッチ２６、２２６、３２６、４２６および５２６をポスト２０、２２０、３２０および４２０と十分に接続すると、キャッチ２６、２２６、３２６、４２６および５２６はポスト２０、２２０、３２０および４２０のコネクタ区間２０Ｄ、２２０Ｄ、３２０Ｄ、４２０Ｄ上で回転することができる。一（１）つの実施形態では、キャッチ２６、２２６、３２６、４２６および５２６の第二端は丸まり、スロットの第二区間２６Ｅ、２２６Ｅ、４２６Ｅおよび５２６Ｅの形状を辿る。第二区間２６Ｅ、２２６Ｅ、３２６Ｅ、４２６Ｅおよび５２６Ｅの周囲のキャッチ２６、２２６、３２６、４２６および５２６の前面には、窪み２６Ｇ、２２６Ｇ、３２６Ｇ、４２６Ｇおよび５２６Ｇを設ける。第二区間２６Ｅ、２２６Ｅ、３２６Ｅ、４２６Ｅおよび５２６Ｅの窪み２６Ｇ、２２６Ｇ、３２６Ｇ、４２６Ｇおよび５２６Ｇの外周サイズは、チャネル２６Ｆ、２２６Ｆ、３２６Ｆ、４２６Ｆおよび５２６Ｆの第二区間２６Ｅ、２２６Ｅ、３２６Ｅ、４２６Ｅおよび５２６Ｅの幅または直径より大きい。一（１）つの実施形態では、窪み２６Ｇはチャネル２６Ｆの長さを延在して、スロット２６Ｃの第二区間２６Ｅに入る。一（１）つの実施形態では、窪み２２６Ｇ、３２６Ｇ、４２６Ｇおよび５２６Ｇは、チャネル２２６Ｆ、３２６Ｆ、４２６Ｆおよび５２６Ｆの長さの一部しか延在しない。第一および第五の実施形態では、窪み２６Ｇおよび５２６Ｇの外周形状は基本的に、平坦区間２１Ａおよび５２１Ａを除き、ポスト２０の頭部２１および５２１と同じ形状である。ポスト２２０、３２０および４２０の頭部２１、２２１、３２１および４２１の底部分が円形の形状を有する第二、第三および第四の実施形態では、窪み２２６Ｇ、３２６Ｇおよび４２６Ｇの形状およびサイズは基本的に、頭部２１、２２１、３２１および４２１の底部分の形状およびサイズと等しい。窪み２２６Ｇ、３２６Ｇおよび４２６Ｇの直径は、底部分のサイズよりわずかに大きく、したがってキャッチ２２６、３２６および４２６をポスト２２０、３２０および４２０と十分に接続すると、底部分が窪み２２６Ｇ、３２６Ｇおよび４２６Ｇ内に填る。一（１）つの実施形態では、窪み２２６Ｇ、３２６Ｇおよび４２６Ｇの深さは基本的に、頭部２２１、３２１および４２１の底部分の厚さと等しく、したがってキャッチ２２６、３２６および４２６をポスト２２０、３２０および４２０と十分に接続すると、底部分が窪み２２６Ｇ、３２６Ｇおよび４２６Ｇの側部と面一になる。一（１）つの実施形態では、キャッチ２２６、３２６、４２６および５２６の厚さ、および窪み２２６Ｇ、３２６Ｇおよび４２６Ｇからキャッチ２２６、３２６、４２６および５２６の最上面までのスロット２２６Ｃ、３２６Ｃ、４２６Ｃおよび５２６Ｃの第二区間２２６Ｅ、３２６Ｅ、４２６Ｅおよび５２６Ｅの深さは基本的に、ポスト２２０、３２０および４２０の頭部２２１、３２１、４２１および５２１の厚さと等しく、したがってポスト２２０、３２０および４２０をスロット２２６Ｃ、３２６Ｃ、４２６Ｃおよび５２６Ｃの第二区間２２６Ｅ、３２６Ｅ、４２６Ｅおよび５２６Ｅ内に正確に位置決めされ、頭部２２１、３２１、４２１および５２１はキャッチ２２６、３２６、４２６および５２６の上まで延在しない。一（１）つの実施形態では、頭部２２１、３２１、４２１および５２１の最上面は、キャッチ２２６、３２６および４２６の最上面と面一である。
【００３６】
第二の実施形態では、スロット２２６Ｃの第二区間２２６Ｅにある窪み２２６Ｇの部分は、スロット２２６Ｃのチャネル２２６Ｆに隣接して位置決めされた第二窪み２２６Ｈを有する。キャッチ２２６の第二端２２６Ｂに隣接するキャッチ２２６の側部には、スロット２２６Ｃの第一区間２２６Ｄに隣接するキャッチ２２６の側部を超えて延在する突起２２６Ｉを設ける。突起２２６Ｉによって、スロット２２６Ｃの第二区間２２６Ｅの周囲にある第二窪み２２６Ｈは、第一区間２２６Ｄの幅より大きい幅またはサイズを有することができる。突起２２６Ｉを形成するキャッチ２２６の側部は、スロット２２６Ｃの第二区間２２６Ｅがチャネル２２６Ｆと接続する点で外側に湾曲する。突起２２６Ｉの側部は、キャッチ２２６の丸まった第二端２２６Ｂに向かって内側に傾斜する。側部が内側に傾斜するので、第二窪み２２６Ｈは消滅する。一（１）つの実施形態では、キャッチ２２６の丸まった第二端２２６Ｂに隣接する突起２２６Ｉの傾斜側部は、平坦部２２１Ａと頭部２２１の第一端との間にあるポスト２２０の頭部２２１の延長部２２１Ｂの側部の角度と同様である。側部突起２２６Ｉにある第二区間２２６Ｅの第二窪み２２６Ｈのサイズは、延長部２２１Ｂがあるポスト２２０の頭部２２１のサイズより大きい。
【００３７】
第三の実施形態では、窪み３２６Ｇの深さは基本的に、ポスト３２０の頭部３２１の底部および中心部分の厚さと等しく、したがって延長部３２１Ａがあるポスト２０の頭部３２１の最上部分は、キャッチ３２６の最上面より上へ延在する。
【００３８】
第四の実施形態では、第二窪み４２６Ｈは、チャネル４２６Ｆの各側に隣接する箇所を除き、スロット４２６Ｃの第二区間４２６Ｅの周囲の大部分に延在する。
【００３９】
第三の実施形態では、キャッチ３２６には、スロット３２６Ｃの第二区間３２６Ｅに隣接した止め具３２６Ｊを設ける（図１７）。一（１）つの実施形態では、止め具３２６Ｊは、チャネル３２６Ｆとキャッチ３２６の第二端３２６Ｂに隣接する第二区間３２０Ｅの端部との間で等しく隔置される。
【００４０】
スロット２６Ｃ、２２６Ｃ、３２６Ｃ、４２６Ｃおよび５２６Ｃのチャネル２６Ｆ、２２６Ｆ、３２６Ｆ、４２６Ｆおよび５２６Ｆは、端部が開放した長方形の形状を有し、側部間の幅は、側部間のスロット２６Ｃ、２２６Ｃ、３２６Ｃ、４２６Ｃおよび５２６Ｃの第一区間２６Ｄ、２２６Ｄ、３２６Ｄ、４２６Ｄおよび５２６Ｄまたは第二区間２６Ｅ、２２６Ｅ、３２６Ｅ、４２６Ｅおよび５２６Ｅの幅より小さい。チャネル２６Ｆ、２２６Ｆ、３２６Ｆ、４２６Ｆおよび５２６Ｆの幅は、平坦区間２６Ｅ間のポスト２０、２２０、３２０のコネクタ区間２０Ｄ、２２０Ｄ、３２０Ｄおよび４２０Ｄの幅よりわずかに大きい。一（１）つの実施形態では、キャッチ２６、２２６、３２６、４２６および５２６の側部はそれぞれ、チャネル２６Ｆ、２２６Ｆ、３２６Ｆ、４２６Ｆおよび５２６Ｆの側部に平行な直線の平坦区間を有する。一（１）つの実施形態では、スロット２６Ｃ、２２６Ｃ、３２６Ｃ、４２６Ｃおよび５２６Ｃの第二区間２６Ｅ、２２６Ｅ、３２６Ｅ、４２６Ｅおよび５２６Ｅに隣接するキャッチ２６、２２６、３２６、４２６および５２６の側部はフレア状に広がり、それによってキャッチ２６、２２６、３２６、４２６および５２６をさらに容易に把持し、キャッチ２６、２２６、３２６、４２６および５２６に力を加えて、ボタン１６、２１６および５１６に入れることができる。
【００４１】
一（１）つの実施形態では、ポスト２０は０．６８インチ（１７．２７ｍｍ）の全長および約０．２５インチ（６．３５ｍｍ）の第二端での直径を有する。ポスト２０の頭部２１は、約０．４９９６インチと０．４９８インチ（１２．６８９８ｍｍと１２．６４９２ｍｍ）の間の直径を有し、コネクタ区間２０Ｄは基本的に０．３０７インチと０．３１２インチ（７．７９８ｍｍと７．９２５ｍｍ）の間の直径を有する。基部１４の中心開口１４Ｃは、約０．２５０から０．２５３インチ（６．３５から６．４２６ｍｍ）の直径を有する。キャッチ２６のスロット２６Ｃの第一区間２６Ｄは、中心点から側部まで約０．２５１から０．２６０インチ（６．３７５から６．６０４ｍｍ）の半径を有し、チャネル２６Ｆは側部間で約０．２５５から０．２６５インチ（６．４７７から６．７３１ｍｍ）の幅を有し、スロット２６Ｃの第二区間２６Ｅは、約０．１６０と０．１６８インチ（４．０６４ｍｍと４．２６７ｍｍ）の間の半径を有する。キャッチ２６のスロット２６Ｃの第二区間２６Ｅの周囲にある窪み２６Ｇは、約０．２５３インチと０．２５６インチ（６．４２６ｍｍと６．５０２ｍｍ）の間の半径を有する。一（１）つの実施形態では、ポスト取り付け器具１０、２１０および５１０の構成要素は、ステンレス鋼で構築する。
【００４２】
１対のポスト取り付け器具１０、２１０および５１０を使用して、ヘルメット１００を頭部および頚部支持器具１１０に接続する。ポスト取り付け器具１０、２１０および５１０は、ヘルメット１００の各側および使用者１５０の頭部を、使用者１５０の各肩に隣接する頭部および頚部支持器具１１０に接続する。ポスト留め金１２、２１２および５１２は、ヘルメット１００の反対側に装着され、ヘルメット１００を使用者１５０が着用すると、使用者の耳（図示せず）または頭部の側部に隣接する。ポスト留め金１２、２１２および５１２は、ヘルメット１００にあけた穴を通して装着される。
【００４３】
ヘルメット１００に穴を正確に位置決めするために、ヘルメット１００の後部の中央でヘルメット１００に垂直中心線を引かねばならない。ポスト留め金１２、２１２および５１２は、垂直中心線の各側に対称に設置しなければならない。垂直中心線は、ヘルメット１００の左側および右側から同じ距離を測定することによって配置する。中心線を引くために、マスキング・テープの垂直細片を、ヘルメット１００の後部に位置決めする。マスキング・テープを、ヘルメット１００の外面１００Ａに貼り付けて、穴開け用のマーキングをしながら、ヘルメット１００の仕上げを保護する。次に、テープの細片を、留め金ポスト１２、２１２および５１２を設置しようとする区域でヘルメット１００の左側および右側に配置する。次に、ヘルメット１００の底縁にあるモールディングの頂部から約１．５インチ（３８ｍｍ）上で、ヘルメット１００の後部のテープに水平の線を引く。ほぼ垂直中心線の位置で、ヘルメット１００の後部にてマスキング・テープに垂直の点線、点または短い垂直線を引く。ヘルメットのバイザまたはフェイス・シールドの左側旋回点からヘルメット１００の後部の垂直点線までの距離を測定する。測定値を使用して、バイザの右側旋回点からヘルメット１００の後部まで、同じ距離を測定する。この点に第二垂直点線を引く。最後に、二（２）本の垂直点線の間の中間で、テープに垂直線を引く。
【００４４】
次に、ヘルメット１００の各側でテープ上のヘルメット１００の下縁で、および真の垂直中心線上に交差点を生成する垂直中心線で、ゴム縁部モールディングの最上部から１．５インチ（３８ｍｍ）に線を引く。次に、標準的ヘルメット１００の場合、ヘルメット１００の周囲で真の中心線上の交差点から６．０インチ（１５１ｍｍ）の距離を測定する。ヘルメット１００のゴム縁モールディングの最上部から１．５インチ（３８ｍｍ）で水平線と交差するように、この点で点線を作成する。これは、第一ポスト留め金１２、２１２または５１２の中心穴になる。ヘルメット１００の他方側で同じ距離を測定し、第二ポスト留め金１２、２１２または５１２の中心穴を配置する。Ｓｉｍｐｓｏｎ  Ｓｉｄｅｗｉｎｄｅｒ（商標）ヘルメットの場合は、６．０インチ（１５１ｍｍ）ではなく、４．７５インチ（１２１ｍｍ）の距離が測定される。隆起のせいで基部板をヘルメット上に平坦に配置することができないＢｅｌｌ（商標）ヘルメットの場合は、５．２５インチ（１３３ｍｍ）の距離が測定される。係留具１１２の長さは、ポスト留め金１２、２１２および５１２の位置に従って調節しなければならない。最後に、穴の中心の二（２）つのマーク間の距離を測定して、ヘルメット１００の表面でモールディングの最上縁から１．５インチ（３．８ｍｍ）で測定して、穴が約１２インチ（３０５ｍｍ）離れていることを確認する。より精密な専門用語では、中心マークは、保護ヘッドギアのＳｎｅｌｌ規格に記載されているようにＳ４面上で、前頭（横断）面から９０ｍｍ後方にあり、約１８０から２２０ｍｍ（７．１から８．７インチ）隔置されていなければならない。
【００４５】
穴の中心点を配置したら、ヘルメット１００の左側および右側に穴をあける。一（１）つの実施形態では、穴は０．２５インチ（６ｍｍ）の直径を有する。穴は、ヘルメットの外殻を通してあけるが、パッドは通さない。最後に、テープを除去して、穴のバリを除去する。
【００４６】
ヘルメット１００上にポスト留め金１２、２１２および５１２を組み立てるには、ボタン１６、２１６および５１６、弾性部材１８および２１８、基部１４、２１４および５１４、およびヘルメット１００の穴を通してポスト２０、２２０、３２０および４２０を挿入する。第二の実施形態では、ポスト２２０の頭部２２１の第一端部にある延長部２１Ｂが、ヘルメット１００の後部に隣接するか、それを指すように、ポスト２２０をヘルメット１００の穴に位置決めする。第三および第四の実施形態では、ポスト３２０および４２０の頭部３２１および４２１の第一端にある延長部３２１Ｂおよび４２１Ｂが、ヘルメット１００の前部に隣接するか、それを指すように、ポスト３２０および２０をヘルメット１００の穴に位置決めする。次に、ポスト２０、２２０、３２０および４２０を、ヘルメット１００の内側にある保持器２２および２２２に固定する。保持器２２および２２２は、ヘルメット１００の内面１００Ｂに対して面一でなければならない。ポスト２０、２２０、３２０および４２０は、ぴったり入るまで、または全てのクリアランスがなくなり、追加のトルクまたは締め付けがなくなるまで締め付ける。留め金ポスト１２、２１２および５１２がヘルメット１００に十分に固定されたら、ポスト２０、２２０、３２０および４２０のコネクタ区間２０Ｄ、２２０Ｄ、３２０Ｄおよび４２０Ｄが、基部１４、２１４および５１４の中心穴の周囲で基部１４、２１４および５１４の前面１４Ａおよび２１４Ａと接触する。ポスト２０、２２０、３２０および４２０がぴったり入った後、時計回りに追加の０．１２５インチ（３．２ｍｍ）回転（約４０から４５°）だけ回転することによって、ポスト２０、２２０、３２０および４２０を締め付けるか、トルクを加える。頭部２１、２２１、３２１、４２１および５２１の平坦部２１Ａ、２２１Ａ、３２１Ａ、４２１Ａおよび５２１および線２１Ｃ、２２１Ｃ、３２１Ｃおよび４２１Ｃ、およびポスト２０、２２０、３２０および４２０のコネクタ区間２０Ｄ、２２０Ｄ、３２０Ｄおよび４２０Ｄの平坦区間２０Ｅは、最終的締め付けの後、地面に平行か、基本的に水平でなければならない。
【００４７】
ポスト留め金１２、２１２および５１２をヘルメット１００に固定したら、次にヘルメット１００を頭部および頚部支持器具１１０に接続することができる。ヘルメット１００および頭部および頚部支持器具１１０を使用者に固定した後、ヘルメット１００を頭部および頚部支持器具１１０に固定する。係留具１１２をヘルメット１００に取り付けるには、係留具１１２を一方端で頭部および頚部支持器具１１０に、他方端でキャッチ２６、２２６、３２６、４２６および５２６に接続する。
【００４８】
キャッチ２６、２２６、３２６、４２６および５２６をポスト留め金１２、２１２および５１２に固定するには、キャッチ２６、２２６、３２６、４２６および５２６のスロット２６Ｃ、２２６Ｃ、３２６Ｃ、４２６Ｃおよび５２６Ｃの第一区間２６Ｄ、２２６Ｄ、３２６Ｄ、４２６Ｄおよび５２６Ｄが、ポスト留め金１２、２１２および５１２のポスト２０、２２０、３２０および４２０の頭部２１、２２１、３２１、４２１および５２１の上になるように、キャッチ２６、２２６、３２６、４２６および５２６を配置する（図４および図６から図１１）。次に、チャネル２６Ｆ、２２６Ｆ、３２６Ｆ、４２６Ｆおよび５２６Ｆの側部がコネクタ区間２０Ｄ、２２０Ｄ、３２０Ｄおおよび４２０Ｄの平坦部２０Ｅと位置合わせされるように、キャッチ２６、２２６、３２６、４２６および５２６を位置合わせする。ポスト２０、２２０、３２０および４２０の頭部２１、２２１、３２１、４２１および５２１に平坦部２１Ａ、２２１Ａ、３２１Ａ、４２１Ａおよび５２１Ａまたは線２１Ｃ、２２１Ｃ、３２１Ｃ、４２１Ｃおよび５２１Ｃを設けると、使用者１５０は、チャネル２６Ｆ、２２６Ｆ、３２６Ｆ、４２６Ｆおよび５２６Ｆの側部をポスト２０、２２０、３２０および４２０の頭部２１、２２１、３２１、４２１および５２１の平坦部２１Ａ、２２１Ａ、３２１Ａ、４２１Ａおよび５２１Ａと位置合わせするか、線２１Ｃ、２２１Ｃ、３２１Ｃ、４２１Ｃおよび５２１Ｃがチャネル２６Ｆ、２２６Ｆ、３２６Ｆ、４２６Ｆおよび５２６Ｆの側部に平行で、その間で隔置されるように、頭部２１、２２１、３２１、４２１および５２１の線２１Ｃ、２２１Ｃ、３２１Ｃ、４２１および５２１を位置合わせすることによって、キャッチ２６、２２６、３２６、４２６および５２６を位置合わせすることができる。一（１）つの実施形態では、キャッチ２６、２２６ｍ３２６、４２６および５２６の外周が、スロット２６Ｃ、２２６Ｃ、３２６Ｃ、４２６Ｃおよび５２６Ｃのチャネル２６Ｆ、２２６Ｆ、３２６Ｆ、４２６Ｆおよび５２６Ｆの側部と平行である平坦区間を有する。使用者は、キャッチ２６、２２６、３２６、４２６および５２６の平坦区間を使用して、チャネル２６Ｆ、２２６Ｆ、３２６Ｆ、４２６Ｆおよび５２６Ｆの側部をコネクタ区間２０Ｄ、２２０Ｄ、３２０Ｄおよび４２０Ｄの平坦区間２０Ｅと位置合わせすることができる。キャッチ２６、２２６、３２６、４２６および５２６を正確に位置合わせすると、チャネル２６Ｆ、２２６Ｆ、３２６Ｆ、４２６Ｆおよび５２６Ｆの側部が基本的に水平、または地面に平行になる。
【００４９】
次に、キャッチ２６、２２６、３２６、４２６および５２６をヘルメット１００に向かって内側に押し、同時にヘルメット１００の後部に向かって後方へと移動または滑動させる。キャッチ２６、２２６、３２６、４２６および５２６の背面は平坦で、滑らかであり、これによってボタン１６、２１６および５１６の滑らかな前側１６Ａ、２１６Ａおよび５１６Ａに沿ってキャッチ２６、２２６、３２６、４２６および５２６を容易に滑動させることができる。一（１）つの実施形態では、基部２１４および５１４の傾斜側およびボタン２１６および５１６の傾斜側が、キャッチ２２６および５２６の案内に役立ち、ポスト２２０上にキャッチ２２６および５２６をさらに容易に位置決めすることができる。キャッチ２６、２２６、３２６、４２６および５２６を内側に押すにつれ、キャッチ２６、２２６、３２６、４２６および５２６の背面がボタン１６、２１６および５１６の前側１６Ａ、２１６Ａおよび５１６Ａと接触し、ボタン１６、２１６および５１６を押下するか、ボタン１６、２１６および５１６を内側に押し、したがってボタン１６、２１６および５１６がヘルメット１００に向かって動作する（図７および図１４）。ボタン１６、２１６および５１６を押すにつれ、弾性部材１８および２１８が圧縮される。ポスト２０、２２０、３２０および４２０のコネクタ区間２０Ｄ、２２０Ｄ、３２０Ｄおよび４２０Ｄがボタン１６、２１６および５１６の開口１６Ｃおよび２１６Ｃを超えて延在し、ボタン１６、２１６および５１６の前側１６Ａ、２１６Ａおよび５１６Ａとポスト２０、２２０、３２０および４２０の頭部２１、２２１、３２１、４２１および５２１の背面との間の距離が、キャッチ２６、２２６、３２６、４２６および５２６の厚さより大きくなるまで、ボタン１６、２１６および５１６を押す（図８）。一（１）つの実施形態では、スロット２２６Ｃ、３２６Ｃ、４２６Ｃおよび５２６Ｃの第一区間と第二区間２２６Ｄ、３２６Ｄ、４２６Ｄおよび５２６Ｄと２２６Ｅ、３２６Ｅ、４２６Ｅおよび５２６Ｅの間に延在するチャネル２２６Ｆ、３２６Ｆ、４２６Ｆおよび５２６Ｆは厚さが薄くなり、キャッチ２２６、３２６、４２６および５２６の最上面から窪んでいる。この実施形態では、ポスト２２０、３２０および４２０のコネクタ２２０Ｄ、３２０Ｄおよび４２０がボタン２１６の前側２１６Ａより、スロット２２６Ｃ、３２６Ｃ、４２６Ｃおよび５２６Ｃのチャネル２２６Ｆ、３２６Ｆ、４２６Ｆおよび５２６Ｆの厚さより大きい距離だけ先まで延在するまで、ボタン２１６および５１６を内側に押す。この位置で、一（１）つの実施形態では、ボタン１６、２１６および５１６の前側１６Ａ、２１６Ａおよび５１６Ａが、基部１４、２１４および５１４の前面１４Ａと面一であり、キャッチ２６、２２６、３２６、４２６および５２６が基部１４、２１４および５１４と接触する。ボタン２１６および５１６が傾斜側部を有する実施形態では、ボタン２１６および５１６を内側に押して、キャッチ２２６および５２６がポスト２０および２２０と接続できるようにすると、ボタン２１６および５１６の前側２１６Ａおよび５１６Ａのみが、凹部の外側に残り、基部１４、２１４および５１４の最上部と面一である。
【００５０】
ボタン１６、２１６、３１６、４１６および５１６が押下または押した位置にある場合、キャッチ２６、２２６、３２６、４２６および５２６は後方へと移動し、したがってポスト２０、２２０、３２０および４２０のコネクタ区間２０Ｄ、２２０Ｄ、３２０Ｄおよび４２０Ｄがチャネル２６Ｆ、２２６Ｆ、３２６Ｆ、４２６Ｆおよび５２６Ｆに沿って移動し、ポスト２０、２２０、３２０および４２０が、スロット２６Ｃ、２２６Ｄ、３２６Ｃ、４２６Ｃおよび５２６Ｃの大きい方の第一区間２６Ｄ、２２６Ｄ、３２６Ｄ、４２６Ｄおよび５２６Ｄからスロット２６Ｃ、２２６Ｃ、３２６Ｃ、４２６Ｃおよび５２６Ｃの小さい方の第二区間２６Ｅ、２２６Ｅ、３２６Ｅ、４２６Ｅおよび５２６Ｅへと移動する。ポスト２０、２２０、３２０および４２０が十分にキャッチ２６、２２６、３２６、４２６および５２６のスロット２６Ｃ、２２６Ｃ、３２６Ｃ、４２６Ｃおよび５２６Ｃの第二区間２６Ｅ、２２６Ｅ、３２６Ｅ、４２６Ｅおよび５２６Ｅに入ると、キャッチ２６、２２６、３２６、４２６および５２６にかかる圧力が解放され、したがって弾性部材１８および２１８が拡張し、ボタン１６、２１６および５１６をキャッチ２６、２２６、３２６、４２６および５２６に向かって移動させる。一（１）つの実施形態では、キャッチ２６、２２６、３２６、４２６および５２６がポスト２０、２２０、３２０および４２０と十分に接続すると、ボタン１６、２１６および５１６が内側へとわずかに押される（図９および図１５）。十分に取り付けた位置で、ポスト２０、２２０、３２０および４２０の頭部２１、２２１、３２１、４２１および５２１は、スロット２６Ｃ、２２６Ｃ、３２６Ｃ、４２６Ｃおよび５２６Ｃの第二区間２６Ｅ、２２６Ｅ、３２６Ｅ、４２６Ｅおよび５２６Ｅの周囲にある窪み２６Ｇ、２２６Ｇ、３２６Ｇ、４２６Ｇおよび５２６Ｇ内にある（図５および図９）。この位置で、スロット２６Ｃ、２２６Ｃ、３２６Ｃ、４２６Ｃおよび５２６Ｃの第二区間２６Ｅ、２２６Ｅ、３２６Ｅ、４２６Ｅおよび５２６Ｅの周囲にあるキャッチ２６、２２６、３２６、４２６および５２６は、ポスト２０、２２０、３２０および４２０の頭部２１、２２１、３２１、４２１および５２１の背面とボタン１６、２１６および５１６の前側１６Ａ、２１６Ａおよび５１６Ａの間に挟まれ、所定の位置に保持される。ポスト２０、２２０、３２０および４２０がスロット２６Ｃ、２２６Ｃ、３２６Ｃ、４２６Ｃおよび５２６Ｃの第二区間２６Ｅ、２２６Ｅ、３２６Ｅ、４２６Ｅに十分に入り、キャッチ２６、２２６、３２６、４２６および５２６がポスト留め金１２、２１２、３１２、４１２および５１２に十分に固定されていることを保証するために、係留具１１２をヘルメット１００の後部に向かって引くことができる。
【００５１】
キャッチ２６、２２６、３２６、４２６および５２６を最初に接続する間、キャッチ２６、２２６、３２６、４２６および５２６は基本的に、ヘルメット１００の後部に向かって延在する係留具１１２と水平である。ポスト２０、２２０、３２０および４２０のコネクタ区間２０Ｄ、２２０Ｄ、３２０Ｄおよび４２０の形状およびサイズ、およびキャッチ２６、２２６、３２６、４２６および５２６のスロット２６Ｃ、２２６Ｃ、３２６Ｃ、４２６Ｃおよび５２６Ｃの第二区間２６Ｅ、２２６Ｅ、３２６Ｅ、４２６Ｅおよび５２６Ｅの形状およびサイズによって、キャッチ２６、２２６、３２６、４２６および５２６をポスト２０、２２０、３２０および４２０上で簡単かつ滑らかに回転させることができる。一（１）つの実施形態では、第二区間２６Ｅ、２２６Ｅ、３２６Ｅ、４２６Ｅおよび５２６Ｅは概ね円形の形状を有し、チャネル２６Ｆ、２２６Ｆ、３２６Ｆ、４２６Ｆおよび５２６Ｆへの開口があり、コネクタ区間２０Ｄ、２２０Ｄ、３２０Ｄおよび４２０Ｄは基本的に円形または円筒形の形状を有し、平行で対向する平坦区間２０Ｅがある。係留具１１２が動作し、キャッチ２２６、３２６、４２６および５２６を回転しても、ポスト２２０、３２０および４２０は静止したままである。一（１）つの実施形態では、キャッチ２６はポスト２０の周囲で自由に回転することができる。一（１）つの実施形態では、キャッチ２６、２２６、３２６、４２６および５２６を留め金ポスト１２、２１２および５１２に適正に固定すると、キャッチ２６、２２６、３２６、４２６および５２６および係留具１１２は、ポスト２０、２２０、３２０および４２０の周囲で約１８０°回転することができる。別の実施形態では、キャッチ２６、２２６、３２６、４２６および５２６は、ポスト２０、２２０、３２０および４２０の周囲で約１８０°まで回転することができる。第二、第三、第四および第五の実施形態では、ポスト２２０、３２０および４２０上のキャッチ２２６、３２６、４２６および５２６の回転度は制限される。ポスト２２０、３２０および４２０上のキャッチ２２６、３２６、４２６および５２６の回転度を制限すると、係留具１１２の捩れが減少し、ポスト２２０、３２０および４２０からキャッチ２２６、３２６、４２６および５２６をさらに容易に外すことができる。第二および第四の実施形態では、頭部２２１および４２１、およびキャッチ２２６および４２６のスロット２２６Ｃおよび４２６Ｃの第二区間２２６Ｅおよび４２６Ｅの第二窪み２２６Ｇおよび４２６Ｇの形状は、ポスト２２０および４２０上でキャッチ２２６が完全に３６０°回転するのを防止する。
【００５２】
第二の実施形態では、ポスト２２０の頭部２２１の第一端にある延長部２２１Ｆがスロット２２６Ｃの突起２２６Ｉの一方の中にあって、延長部２２１Ｆが、第二窪み２２６Ｇの終了するキャッチ２２６の側部と接触するまで、キャッチ２２６が回転することができる。突起２２６Ｉによってキャッチ２２６は各方向に予め設定した角度で回転することができるが、第二区間２２６Ｅの傾斜側部は、キャッチ２２６が予め設定した角度を超えて回転するのを防止する。キャッチ２２６は、ポスト２２０上で約１８０°、またはスロット２２６Ｃのチャネル２２６Ｆの側部がポスト２２０のコネクタ区間２２０Ｄの平坦部と位置合わせした場合は、初期位置の各側に約９０°回転することができる。頭部２２１の延長部２２１Ｆの側部とキャッチ２２６の突起２２６Ｉの側部とが類似した形状であるので、頭部２２１の延長部２２１Ｆの全側部に沿って接触することができ、ポスト２２０上でキャッチ２２６の回転をさらに確実に停止することができる。
【００５３】
第三の実施形態では、ポスト３２０のポスト３２０上の頭部３２１の第一端部上の延長部３２１Ｆがキャッチ３２６の最上面の止め具３２６Ｊと接触するまで、キャッチ３２６は約１８０°回転することができる。第四の実施形態では、キャッチ４２６はポスト４２０上でほぼ完全な３６０°を回転することができる。第五の実施形態では、キャッチ５２６の側部がポスト留め金５１２の基部５１４上の止め具５１４Ｆと接触するまで、キャッチ５２６は約１８０°回転することができる。
【００５４】
ポスト２２０、３２０および４２０上のキャッチ２２６、３２６および４２６の回転度が制限されている一（１）つの実施形態では、予め決定された量より大きいトルクまたは力が係留具１１２に加えられた場合、キャッチ２２６、３２６および４２６は、予め設定された最大回転度を超えて回転することができる。したがって、標準または通常の量より大きい力またはトルクがキャッチ２２６、３２６および４２６に加えられた状況では、キャッチ２２６、３２６および４２６はポスト３２０、４２０および５２０上で回転することができる。通常より大きいトルクまたは力がキャッチ２２６、３２６および４２６に加えられた場合、キャッチ２２６、３２６および４２６は、ボタン２１６を押下し、これはポスト２２０、３２０および４２０の頭部２２１、３２１および４２１とボタン２１６との間により大きい距離を生成する。ボタン２１６とポスト２２０、３２０および４２０の頭部２２１、３２１および４２１との間の距離が、キャッチ２２６、３２６および４２６の厚さより大きい場合、キャッチ２２６、３２６および４２６は、頭部２２１、３２１および４２１とボタン２１６の間でポスト２２０、３２０および４２０の周囲で自由に回転することができる。
【００５５】
通常の使用中または事故の間に、通常より大きいトルクまたは力が係留具１１２に加えられることがある。一（１）つの場合では、通常より大きいトルクまたは力がキャッチ２２６、３２６および４２６に加えられ、使用者の頭部がうなずく位置で下方向に旋回した場合に、標準的回転度を超えてポスト３２０、４２０および５２０上で回転させる。キャッチが限界回転度を超えて回転する能力は、キャッチ２２６、３２６および４２６が特定の角度でロックされるのを防止し、使用者の頭部がさらに自由に動作できるための安全形体である。
【００５６】
キャッチ２６、２２６、３２６、４２６および５２６をポスト留め金１２、２１２および５１２から外すには、コネクタ区間２０Ｄ、２２０Ｄ、３２０Ｄおよび４２０Ｄの平坦部２０Ｅがキャッチ２６、２２６、３２６、４２６および５２６のスロット２６、２２６Ｃ、３２６Ｃ、４２６Ｃおよび５２６Ｃのチャネル２６Ｆ、２２６Ｆ、３２６Ｆ、４２６Ｆおよび５２６Ｆの側部と位置合わせされるように、キャッチ２６、２２６、３２６、４２６および５２６を位置合わせする。次に、キャッチ２６、２２６、３２６、４２６および５２６をヘルメット１００に向かって内側に押し、ボタン１６、２１６および５１６を内側に押す。ポスト２０、２２０、３２０および４２０のコネクタ区間２０Ｄ、２２０Ｄ、２０Ｄおよび４２０Ｄがチャネル２６Ｆ、２２６Ｆ、３２６Ｆ、４２６Ｆおよび５２６Ｆに沿って第二区間２６Ｅ、２２６Ｅ、３２６Ｅ、４２６Ｅおよび５２６Ｅから第一区間２６Ｄ、２２６Ｄ、３２６Ｄ、４２６Ｄおよび５２６Ｄへと移動するように、ボタン１６、２１６および５１６を押しながら、キャッチ２６、２２６、３２６、４２６および５２６を前方に滑動させる。
【００５７】
基部１４、２１４および５１４、ボタン１６、２１６および５１６、およびポスト２０、２２０、３２０および４２０の寸法および公差は、ヘルメット１００またはその寸法に依存しない。ヘルメット１００に適正に固定したら、ポスト２０および２２０および保持器２２および２２２を締め付けると、留め金ポスト１２、２１２および５１２がヘルメット１００上で基部１４、２１４および５１４と保持器２２および２２２の間に締め付けられ、固定される。基部１４、２１４および５１４、および保持器２２および２２２のサイズまたは外寸法のせいで、基部１４、２１４および５１４、および保持器２２および２２は、係留具１１２によってヘルメット１００に加えられた張力、線弾力またはトルクのような全ての負荷を、ヘルメット１００の小さい方の穴の周囲だけでなく、ヘルメット１００のさらに大きい区域へと分散させるように作用する。より大きい接触区域を使用すると、より頑丈かつ強力な取り付け部を生成する。
【００５８】
以上の説明は、本発明の例示にすぎず、本発明は添付の請求の範囲によってのみ制限されるものとする。
【図面の簡単な説明】
【００５９】
【図１】使用者１５０が着用するヘルメット１００を、使用者１５０が着用する頭部および頚部支持器具１１０に接続するポスト取り付け器具１０を示す側面図である。
【図２】ポスト取り付け器具１０の組立分解図である。
【図３】分離した位置にあるポスト取り付け器具１０の斜視図である。
【図４】取り付ける前のポスト取り付け器具１０の斜視図である。
【図５】十分に接続した位置にあるポスト取り付け器具１０の斜視図である。
【図６】十分に延長した位置にあるボタン１６を示す、線６−６に沿った図４の断面図である。
【図７】部分的に押下した位置にあるボタン１６を示すポスト取り付け器具１０の断面図である。
【図８】ボタン１６が十分に押下した位置にあるポスト取り付け器具１０の断面図である。
【図９】取り付けた位置にあるポスト取り付け器具１０の断面図である。
【図１０】分離した位置にある第二実施形態のポスト取り付け器具２１０の斜視図である。
【図１１】取り付け中の第二実施形態のポスト取り付け器具２１０の斜視図である。
【図１２】キャッチ２２６が初期の非回転位置にある状態で、十分に接続した位置にある第二実施形態のポスト取り付け器具２１０の斜視図である。
【図１３】係留具１１２およびキャッチ２２６がポストの頭部２２１の周囲で反時計回り方向に回転した状態で、十分に接続した位置にある第二実施形態のポスト取り付け器具２１０の斜視図である。
【図１４】キャッチ２２６をポスト２２０に取り付ける間に、押下した位置にあるボタン２１６を示す線１４−１４に沿った図１１の断面図である。
【図１５】キャッチ２２６がポスト２２０に接続した状態で、部分的に押下した位置にあるボタン２１６を示す線１５−１５に沿った図１２の断面図である。
【図１６】キャッチ３２６が初期の非回転位置にある状態で、キャッチ３２６およびポスト３２０を示す第三実施形態のポスト取り付け器具の部分図である。
【図１７】キャッチ３２６がポスト３２０上で時計回り方向に回転した状態で、第三実施形態のキャッチ３２６およびポスト３２０の部分図である。
【図１８】キャッチ３２６がポスト３２０上で反時計回り方向に回転した状態で、第三実施形態のキャッチ３２６およびポスト３２０の部分図である。
【図１９】初期の非回転位置にあるキャッチ４２６を示す、第四実施形態のキャッチ４２６およびポスト４２０の部分斜視図である。
【図２０】ポストの頭部４２１の周囲で時計回り方向に回転したキャッチ４２６を示す、第四実施形態のキャッチ４２６の部分図である。
【図２１】キャッチ５２６が初期の非回転位置にある状態で、ポスト取り付け器具５１０の斜視図である。
【図２２】キャッチ５２６がポスト上で反時計回り方向に回転した状態で、第五実施形態のポスト取り付け器具５１０の斜視図である。
【図２３】キャッチ５２６がポスト上で時計回り方向に回転した状態で、第五実施形態のポスト取り付け器具５１０の斜視図である。
【符号の説明】
【００６０】
１０  ポスト取り付け器具
１２  ポスト留め金
１４  基部
１４Ａ  前面
１４Ｂ  背面
１４Ｃ  中心開口
１４Ｄ  凹部
１４Ｅ  溝
１６  ボタン
１６Ａ  前側
１６Ｂ  後側
１６Ｃ  開口
１６Ｄ  側壁
１８  弾性部材
２０  ポスト
２０Ａ  第一端
２０Ｂ  第二端
２０Ｃ  頭部
２０Ｄ  コネクタ区間
２０Ｅ  平坦部
２１  頭部
２２  保持器
２２Ａ  前面
２２Ｂ  背面
２２Ｃ  中心開口
２４  延長部
２４Ａ  中心内腔
２６  キャッチ
２６Ａ  第一端
２６Ｂ  第二端
２６Ｃ  スロット
２６Ｄ  第一区間
２６Ｅ  第二区間
２６Ｆ  チャネル
２６Ｇ  窪み
１００  ヘルメット
１００Ａ  外面
１００Ｂ  内面
１１０  頭部および頚部支持器具
１５０  使用者
２１０  ポスト取り付け器具
２１２  ポスト留め金
２１４  基部
２１４Ａ  前面
２１４Ｂ  背面
２１４Ｃ  中心開口
２１４Ｄ  凹部
２１４Ｅ  溝
２１６  ボタン
２１６Ａ  前側
２１６Ｂ  後側
２１６Ｃ  開口
２１６Ｄ  側壁
２１８  弾性部材
２２０  ポスト
２２０Ａ  第一端
２２０Ｂ  第二端
２２０Ｃ  頭部
２２０Ｄ  コネクタ区間
２２１  頭部
２２１Ａ  平坦部
２２１Ｂ  延長部
２２１Ｃ  位置合わせ線
２２２  保持器
２２２Ａ  前面
２２２Ｂ  背面
２２２Ｃ  中心開口
２２４  延長部
２２４Ａ  中心内腔
２２６  キャッチ
２２６Ａ  第一端
２２６Ｂ  第二端
２２６Ｃ  スロット
２２６Ｄ  第一区間
２２６Ｅ  第二区間
２２６Ｆ  チャネル
２２６Ｇ  窪み
２２６Ｈ  第二窪み
２２６Ｉ  突起
３２０  ポスト
３２０Ａ  第一端
３２０Ｂ  第二端
３２０Ｃ  頭部
３２０Ｄ  コネクタ区間
３２１  頭部
３２１Ａ  平坦部
３２１Ｂ  延長部
３２１Ｃ  位置合わせ線
３２６  キャッチ
３２６Ａ  第一端
３２６Ｂ  第二端
３２６Ｃ  スロット
３２６Ｄ  第一区間
３２６Ｅ  第二区間
３２６Ｆ  チャネル
３２６Ｇ  窪み
３２６Ｊ  止め具
４２０  ポスト
４２０Ａ  第一端
４２０Ｂ  第二端
４２０Ｃ  頭部
４２０Ｄ  コネクタ区間
４２１  頭部
４２１Ａ  平坦部
４２１Ｂ  延長部
４２１Ｃ  位置合わせ線
４２６  キャッチ
４２６Ａ  第一端
４２６Ｂ  第二端
４２６Ｃ  スロット
４２６Ｄ  第一区間
４２６Ｅ  第二区間
４２６Ｆ  チャネル
４２６Ｇ  窪み
５１０  ポスト取り付け器具
５１２  ポスト留め金
５１４  基部
５１４Ａ  前面
５１４Ｄ  凹部
５１４Ｆ  止め具
５１６  ボタン
５１６Ａ  前側
５２０  ポスト
５２１  頭部
５２１Ａ  平坦部
５２１Ｃ  線
５２６  キャッチ
５２６Ａ  第一端
５２６Ｂ  第二端
５２６Ｃ  スロット
５２６Ｄ  第一区間
５２６Ｅ  第二区間
５２６Ｆ  チャネル
５２６Ｇ  窪み
【図１】
2006312807.tif 000003
【図２】
2006312807.tif 000004
【図３】
2006312807.tif 000005
【図４】
2006312807.tif 000006
【図５】
2006312807.tif 000007
【図６】
2006312807.tif 000008
【図７】
2006312807.tif 000009
【図８】
2006312807.tif 000010
【図９】
2006312807.tif 000011
【図１０】
2006312807.tif 000012
【図１１】
2006312807.tif 000013
【図１２】
2006312807.tif 000014
【図１３】
2006312807.tif 000015
【図１４】
2006312807.tif 000016
【図１５】
2006312807.tif 000017
【図１６】
2006312807.tif 000018
【図１７】
2006312807.tif 000019
【図１８】
2006312807.tif 000020
【図１９】
2006312807.tif 000021
【図２０】
2006312807.tif 000022
【図２１】
2006312807.tif 000023
【図２２】
2006312807.tif 000024
【図２３】
2006312807.tif 000025
【外国語明細書】
2006312807000001.pdf